(57)【要約】【課題】便房内での患者の異常を検知し、便房扉を自動解錠すると共に外部に異常を知らせ、早期に患者を発見救済できる異常検知装置の提供。【解決手段】施錠状態を検知するセンサー部ｃと、センサー部からの信号でタイマーが起動するタイマー回路部ｄと、ロック装置ｂを自動解錠する解錠装置部ｅと、解錠装置部ｅの自動解錠を延長する釦を設けた延長釦部ｆと、便房内の患者に前記便房扉ａの自動解錠を事前に知らせる表示音声部ｇと、異常通報器ｈを備え、タイマーの設定時間終了時までに延長釦部ｆの釦が押されなかった場合に、タイマー回路部ｄからの異常信号に基づき、解錠装置部ｅがロック装置ｂを自動解錠すると共に、異常通報器ｈが予め指定の場所へ連絡する。【選択図】図３
0003195022.tif 000002
【実用新案登録請求の範囲】
【請求項１】
便房扉の開閉を規制する施錠状態によって、患者の便房内入出を検知するセンサー部と、前記センサー部からの信号でタイマーが起動するタイマー回路部と、前記タイマー回路部からの信号で、便房内の患者に前記便房扉の自動解錠を事前に知らせる表示音声部と、房便内の患者によって前記便房扉の自動解錠を延長する釦を設けた延長釦部と、前記タイマー回路部からの信号で、前記便房扉を自動解錠する解錠装置部を備えた会話型異常検知装置において、患者が便房内に入り施錠したことにより、前記センサー部から前記タイマー回路部へ閉信号が送られ、タイマーが計時を開始し、予め設定した時間の前に前記便房扉の自動解錠を知らせる表示と音声を流し、便房内の患者が必要に応じて前記延長釦部の釦を押すことにより、前記タイマー回路部のタイマー計時がリセットされ、再び計時を開始することとし、患者が自分で解錠して便房外へ出た場合は、前記センサー部が開信号を検知して、前記タイマー回路部のタイマー計時が停止し、また患者が何らかの理由で前記延長釦部の釦を、設定時間内に押すことができない場合は、異常事態と判断する異常検出手段を設け、前記異常検出手段にて異常を検出した場合に、前記タイマー回路部からの異常信号に基づき、前記便房扉の施錠を自動解錠すると共に、異常通報器を介して外部に異常を知らせる制御手段を有することを特徴とする会話型異常検知装置。
【請求項２】
前記異常を知らせる制御手段に、Ｅメール通信、無線呼出システム、インターホンブザー、ランプを用いたことを特徴とする請求項１記載の会話型異常検知装置。
【考案の詳細な説明】
【技術分野】
【０００１】      本発明は、病院等に設置されている便房内での患者の異常を検知し、便房扉を自動解錠すると共に、速やかに異常を通報する装置に関するものである。
【背景技術】
【０００２】従来、病院等に設置されている一般便房扉には自動解錠装置はなく、便房内の患者が自分で解錠するものであり、便房内で患者に異常が発生した場合は便房内の患者が、便房内に設置されている呼出し釦を押して外部に連絡するものである。
【考案の概要】
【考案が解決しようとする課題】
【０００３】しかしながら便房内で患者が、便房内に設置されている呼出し釦を押せない場合は便房内の異常状態が分らず、長時間患者が放置されてしまうと共に、便房扉の解錠に時間がかかり処置が遅れる問題がある。【０００４】この発明の目的は、便房内で患者に異常が発生した場合に、速やかに異常を検知し便房扉を自動解錠すると共に、外部に異常を知らせる装置を提供するものである。
【課題を解決するための手段】
【０００５】請求項１記載の会話型異常検知装置は、便房扉の開閉を規制する施錠状態によって患者の便房内入出を検知するセンサー部と、前記センサー部からの信号でタイマーが起動するタイマー回路部と、前記タイマー回路部からの信号で、便房内の患者に前記便房扉の自動解錠を事前に知らせる表示音声部と、房便内の患者によって前記便房扉の自動解錠を延長する釦を設けた延長釦部と、前記タイマー回路部からの信号で、前記便房扉を自動解錠する解錠装置部を備えた会話型異常検知装置において患者が便房内に入り施錠したことにより、前記センサー部から前記タイマー回路部へ閉信号が送られ、タイマーが計時を開始し、予め設定した時間の前に前記便房扉の自動解錠を知らせる表示と音声を流し、便房内の患者が必要に応じて前記延長釦部の釦を押すことにより、前記タイマー回路部のタイマー計時がリセットされ、再び計時を開始することとし、患者が自分で解錠して便房外へ出た場合は、前記センサー部が開信号を検知して前記タイマー回路部のタイマー計時が停止し、また患者が何らかの理由で前記延長釦部の釦を設定時間内に押すことができない場合は、異常事態と判断する異常検出手段を設け、前記異常検出手段にて異常を検出した場合前記タイマー回路部からの異常信号に基づき、前記便房扉の施錠を自動解錠すると共に、異常通報器を介して外部に異常を知らせる制御手段を設けたものである。
【考案の効果】
【０００６】上記手段により、便房内で患者に異常が発生し、患者が自分自身で外部へ救助を依頼できない場合、患者の異常を正確に自動検知して、便房扉を自動解錠すると共に外部に異常を知らせ、早期に患者を発見救済できる。
【図面の簡単な説明】
【図１】会話型異常検知装置が取付けられる病院等の一般便房平面図
【図２】本発明の構造を示すブロック図
【図３】本発明の構造を示すフローチャート図
【考案を実施するための形態】
【０００７】本発明の実施の形態について図面に基づいて説明する。図１は会話型異常検知装置が取付けられる病院等の一般便房平面図である。便房の間口に設けられる便房扉ａに取り付けられたロック装置ｂの、施錠状態を検知するセンサー部ｃと、前記センサー部からの信号でタイマーが起動するタイマー回路部ｄと、前記ロック装置ｂを自動解錠する解錠装置部ｅと、前記解錠装置部ｅの自動解錠を延長する釦を設けた延長釦部ｆと、便房内の患者に前記便房扉ａの自動解錠を事前に知らせる表示音声部ｇと、便房内の患者の異常を検知した場合、予め指定の場所へ連絡する異常通報器ｈを備えたものである。図２は図１のブロック図である。
【０００８】図３は本発明である会話型異常検知装置のフローチャート図で有り、初期状態からスタートする。ここで初期状態とは便房の間口に設けられる便房扉ａが、非ロック状態であることを示す。そしてまず、便房内へ患者が入りロック装置ｂをロックした事により、センサー部ｃからの閉信号をタイマー回路部ｄが検知しタイマー計時を開始する。予め設定された時間が近づくと、表示音声部ｇで便房内の患者に前記便房扉ａの解錠を知らせる。ここで便房内の患者が前記便房扉ａの解錠を拒む場合は、延長釦部ｆの釦を押すことにより、前記タイマー回路部ｄのタイマー計時をリセットして、再度タイマー計時をスタートさせる。また予め設定された時間内に便房内の患者が、前記ロック装置ｂを解錠した場合は、患者が便房内から便房外へ出たと判断して、前記タイマー回路部ｄのタイマー計時を中止する。
【０００９】予め設定された時間が近づいても、便房内の患者が延長釦部ｆの釦を押せなかった場合、予め設定された時間の終了と同時に、タイマー回路部ｄから異常通報器ｈを介して指定の場所へ、Ｅメールや無線呼出システムを通じて、各機器に異常を自動で通信すると共に、インターホン、ブザー、ランプで呼び掛ける制御手段を設けると共に、解錠装置部ｅに解錠信号を送り自動解錠するようにしたものである。
【符号の説明】ａ  便房扉
ｂ  ロック装置
ｃ  センサー部
ｄ  タイマー回路部
ｅ  解錠装置部
ｆ  延長釦部
ｇ  表示音声部
ｈ  異常通報器
【図１】
0003195022.tif 000003
【図２】
0003195022.tif 000004
【図３】
0003195022.tif 000005